(57)【特許請求の範囲】
【請求項１】
組込み電子シリアル番号及び該組込み電子シリアル番号に関連づけられた組込み加入者情報を送信するステップを含む移動局の認証方法において、
取り外し可能電子シリアル番号および該取り外し可能番号に関連づけられたリモート加入者情報を取り外し可能ユーザ識別モジュールから読み出すステップ、及び該組込み電子シリアル番号及び組込み加入者情報の送信後にのみ該取り外し可能電子シリアル番号及び該リモート加入者情報を送信するステップを有し、該取り外し可能電子シリアル番号は該組込み電子シリアル番号とは異なることを特徴とする方法。
【請求項２】
第１電子シリアル番号及び該第１電子シリアル番号に関連づけられた第１加入者情報を有する組込みユーザ識別モジュール、並びに第２電子シリアル番号及び該第２電子シリアル番号に関連づけられた第２加入者情報を有する取り外し可能ユーザ識別モジュールを受容するレセプタクルからなる移動局において、
該第２の電子シリアル番号及び該第２の加入者情報を送信するための手段を有し、該手段が、同一の認証試行における該第１の電子シリアル番号及び第１の加入者情報の送信後にのみ所与の認証試行において該第２の電子シリアル番号及び該第２の加入者情報を送信することを許可するように構成されたことを特徴とする移動局。
【請求項３】
前記第１電子シリアル番号および第１加入者情報を送信し、前記レセプタクルが前記取り外し可能ユーザ識別モジュールから入力を受けた場合に、前記第２電子シリアル番号および第２加入者情報を送信する送信機を有することを特徴とする請求項２に記載の移動局。
【請求項４】
前記組込みユーザ識別モジュールは、前記第１電子シリアル番号および第１加入者情報が記憶されたデータ記憶装置を有することを特徴とする請求項２に記載の移動局。
【請求項５】
前記データ記憶装置はコンピュータメモリであることを特徴とする請求項２に記載の移動局。
【請求項６】
前記レセプタクルは、前記取り外し可能ユーザ識別モジュールからデータを受け取るポートであることを特徴とする請求項２に記載の移動局。
【請求項７】
前記レセプタクルは、画像からデータを読み取るスキャニング装置であることを特徴とする請求項２に記載の移動局。
【請求項８】
前記取り外し可能ユーザ識別モジュールをさらに有することを特徴とする請求項２に記載の移動局。
【請求項９】
前記移動局が起動されたときに前記第１電子シリアル番号および第１加入者情報を送信する手段をさらに有することを特徴とする請求項２に記載の移動局。
【発明の詳細な説明】
【０００１】
【発明の属する技術分野】
本発明は、ワイヤレス通信システムに関し、特に、第３世代ワイヤレス通信システムのための移動局に関する。
【０００２】
【従来の技術】
図１に、従来技術による第２世代ワイヤレス通信システム１０を示す。ワイヤレス通信システム１０は、複数の基地局１２および複数の移動局（ＭＳ：mobile-station）１４を有する。米国連邦通信委員会（ＦＣＣ）は、固有の電子シリアル番号（ＥＳＮ：electronic serial number）を各移動局１４に組み込むことを要求している。ＥＳＮは、移動局の製造国、モデル、メーカー、機能および加入者情報を示す。ＥＳＮは、それ自体で、盗難検出、機能サポート識別および回収（リコール）管理のような、移動局関連の問題のために使用可能である。
【０００３】
ワイヤレス通信システムのサービスプロバイダは、ＥＳＮのこの他の使用法を見出している。このような使用法の１つは、ＥＳＮを他の加入者情報と組み合わせて、移動局１４や加入者を認証することである。他の加入者情報には、移動局識別子（移動局識別番号（ＭＩＮ：mobile identification number）ともいう）や国際移動局加入識別子（ＩＭＳＩ：international mobile-station subscription identifier）のような加入者やサービスの識別子がある。移動局１４に組み込まれた加入者情報を以下「組込み加入者情報」という。
【０００４】
ワイヤレス通信システム１０は、移動局を認証するために第２世代標準のシステム間プロトコルを使用する。ワイヤレス通信システム１０は、ワイヤレス通信システム１０に加入しているユーザのために、ＥＳＮならびに正当な移動局および加入者のレジストリ（データベース）を管理する。各ＥＳＮごとに、レジストリ内では１つの移動局および１つの加入者が関連づけられる。すなわち、ＥＳＮと移動局の間およびＥＳＮと加入者の間には一対一の関係がある。移動局１４に組み込まれた加入者情報は通常その所有者のものであるため、レジストリで管理される加入者情報もまたその所有者のものとなる。すなわち、レジストリ内の加入者情報は、第２世代ワイヤレス通信システム１０の場合、組み込まれた加入者情報である。第２世代標準のシステム間プロトコルでは、移動局１４は、ワイヤレス通信システム１０からのサービス（登録や呼設定など）を呼び出そうとするとき、移動局１４に組み込まれているＥＳＮおよびその他の組込み加入者情報を基地局１２に送信する。ＥＳＮおよび組込み加入者情報は、ワイヤレス通信システム１０（または、ワイヤレス通信システム１０がホームシステムでない場合にはホームシステム）によって、移動局１４を認証するために比較される。送信されたＥＳＮおよび組込み加入者情報が、レジストリ内のＥＳＮおよび加入者情報（これは、組込み加入者情報と同じはずである）と一致する場合、移動局１４は認証される。移動局１４が認証されると、ワイヤレス通信システム１０によってサービスが移動局１４に提供される。
【０００５】
次世代（すなわち第３世代）のワイヤレス通信システムでは、ユーザ識別モジュール（ＵＩＭ：user identity module）が要求されている。これは、ＭＩＮやＩＭＳＩを含む加入者情報を有する論理エンティティである。ＵＩＭは、第３世代の移動局から分離（取り外し）可能であり、組み込まれないことが要求される。このようなＵＩＭを以下、取り外し可能ユーザ識別モジュール（Ｒ−ＵＩＭ：removable user identity module）という。取り外し可能ユーザ識別モジュールによれば、リモート加入者、すなわち、組込み加入者でない加入者は、サービスを呼び出す前に、単に自分のＲ−ＵＩＭを移動局に挿入することによって、自分のものでない第３世代移動局を使用することが可能となる。従って、リモート加入車が第３世代移動局を用いてサービスを呼び出そうとするとき、移動曲に組み込まれたＥＳＮおよびリモート加入者のＲ−ＵＩＭ内の加入者情報（以下「リモート加入者情報」という）が、認証のために第３世代ワイヤレス通信システムに送信される。しかし、サービスプロバイダは、第３世代移動局に対して、第２世代ワイヤレス通信システムからサービスを呼び出すことができることも要求する。これは、第２世代ワイヤレス通信システムが移動局を認証するために第２世代標準のシステム間プロトコルを使用するため問題となる。具体的には、第３世代移動局は第２世代ワイヤレス通信システムによって認証されることができないことが問題である。その理由は、（移動局に組み込まれたＥＳＮとともに）送信されるリモート加入者情報は、送信されたＥＳＮに対するレジストリ内内の加入者情報と一致しないためである。すなわち、リモート加入者情報は組込み加入者情報と同一ではないからである。
【０００６】
この問題に対する１つの解決法は、ＥＳＮを移動局ではなくＲ−ＵＩＭに組み込み、リモート加入者情報が個々のＥＳＮと関連づけられるようにすることである。こうすると、ＥＳＮと移動局の間、および、ＥＳＮと加入者の間に一対一関係ができる。しかし、この解決法は実現可能でない。ＦＣＣは、ＥＳＮが移動局に組み込まれ、加入者とは独立な移動局関連問題（例えば、盗難検出や機能サポート識別）をサポートするために使用されることを要求しているからである。
【０００７】
もう１つの解決法は、移動局を認証するときに、加入者情報のみを使用することである。この解決法もまた実現可能でない。その理由は、サービスプロバイダは、第３世代移動局が認証について第２世代標準のシステム間プロトコルに従い、第３世代移動局が第２世代ワイヤレス通信システムによって認証可能であることを望んでいるからである。さらに、ＥＳＮがなければ、ワイヤレス通信システムは、リモート加入者によって使用されている移動局がどの機能をサポートしているかがわからない。
【０００８】
第３の解決法は、複数の加入者がそれぞれの組込みＥＳＮに関連づけられることが可能であるようなレジストリをワイヤレス通信システムが管理することである。しかし、この解決法もまた実現可能でない。リモート加入者は、そのリモート加入者情報（あるいはＲ−ＵＩＭ）が関連づけられた組込みＥＳＮを有する移動局を使用することに制限されるからである。
【０００９】
【発明が解決しようとする課題】
従って、第２世代ワイヤレス通信システムがリモート加入者情報を用いて認証することが可能な、組込みＥＳＮを有する第３世代移動局が必要とされている。
【００１０】
【課題を解決するための手段】
本発明は、検証のために第２世代標準のシステム間プロトコルに従い、組込みユーザ識別モジュール（Ｉ−ＵＩＭ：integrated user identity module）および取り外し可能ユーザ識別モジュール（Ｒ−ＵＩＭ）を有する移動局を実現する。Ｉ−ＵＩＭは、組込み電子シリアル番号（Ｉ−ＥＳＮ：integrated electronic serial number）および組込み加入者情報を含み、Ｒ−ＵＩＭは、取り外し可能電子シリアル番号（Ｒ−ＥＳＮ：removable electronic serial number）およびリモート加入者情報を含む。移動局は、移動局のユーザに依存して、Ｉ−ＥＳＮと組込み加入者情報の対、または、Ｒ−ＥＳＮとリモート加入者情報の対のいずれかを送信することが可能である。組込み加入者情報と対にされたＩ−ＥＳＮ、および、リモート加入者情報と対にされたＲ−ＥＳＮのレジストリが、ワイヤレス通信システムまたは認証センタによって管理されることになる。このようなレジストリは、Ｉ−ＥＳＮと組込み加入者情報の対、および、Ｒ−ＥＳＮとリモート加入者情報の対を認証するために使用される。
【００１１】
一実施例では、移動局は、Ｒ−ＵＩＭがないときに、認証のために、Ｉ−ＥＳＮと組込み加入者情報を使用する。Ｒ−ＵＩＭがあるとき、移動局は、特に異なる指示がある場合や移動局のユーザによる指示がある場合を除いて、認証のためにＲ−ＥＳＮとリモート加入者情報を使用する。別の実施例では、移動局は、Ｒ−ＥＳＮやリモート加入者情報を使用する前に、常にＩ−ＥＳＮや組込み加入者情報を使用する。
【００１２】
本発明によれば、第２世代標準のシステム間プロトコルを利用するワイヤレス通信システムは、第３世代移動局を使用する加入者を認証することが可能となる。さらに、本発明は、組込みＥＳＮが、盗難検出や機能サポート識別のような、加入者とは独立の移動局関連問題をサポートしなければならないというＦＣＣ要件を満たす。
【００１３】
【発明の実施の形態】
図２に、本発明による移動局２０を示す。移動局２０は、ワイヤレス通信システムの加入者に属するユーザ識別モジュール（ＵＩＭ）２４を組み込んでいる。ユーザ識別モジュール２４は、ＥＳＮと、ＥＳＮによって示される、または示されない、他の加入者情報を含む。このようなＵＩＭ、ＥＳＮおよび他の加入者情報を以下それぞれ「組込みユーザ識別モジュール（Ｉ−ＵＩＭ）」、「組込み電子シリアル番号（Ｉ−ＥＳＮ）」および「組込み加入者情報」という。組込みユーザ識別モジュールは、Ｉ−ＥＳＮおよび組込み加入者情報を記憶するハードウェアあるいは任意のデータ記憶装置（例えばコンピュータメモリ）からなる。
【００１４】
移動局２０は、取り外し可能ユーザ識別モジュール（Ｒ−ＵＩＭ）２６からの入力を受け取ることが可能なレセプタクル２５を有する。取り外し可能ユーザ識別モジュールは、固有のＥＳＮ（以下「取り外し可能電子シリアル番号」あるいはＲ−ＥＳＮという）、および、ワイヤレス通信システムの別の（または同じ）加入者に属する加入者情報、すなわち、リモート加入者情報を含む。取り外し可能ユーザ識別モジュールは、Ｒ−ＥＳＮおよびリモート加入者情報を記憶するハードウェアあるいは任意のデータ記憶装置（例えばコンピュータメモリ）からなる。あるいは、Ｒ−ＥＳＮおよびリモート加入者情報は、スキャン可能カード（例えばバーコード）に記憶されることも可能である。レセプタクル２５は、パラレルまたはシリアルポートのようなポート、画像からデータを読み取るスキャニング装置など、Ｒ−ＵＩＭからの入力を受け取る任意の装置とすることが可能である。なお、「加入者」という用語は、ワイヤレス通信システムの顧客と、ワイヤレス通信システムの非顧客（例えば、コーリングカードやテレホンカードの顧客）を含むと解釈すべきであるが、これらには限定されない。
【００１５】
Ｉ−ＥＳＮおよびＲ−ＥＳＮは、認証のために第２世代標準のシステム間プロトコルに従うワイヤレス通信システムによって使用される値である。具体的には、Ｉ−ＥＳＮおよびＲ−ＥＳＮはいずれも、第２世代標準のシステム間プロトコルによって定義されるフォーマットに従う。Ｉ−ＥＳＮは少なくとも、それが組み込まれた移動局を識別する。
【００１６】
一実施例では、Ｉ−ＥＳＮおよびＲ−ＥＳＮはいずれも、対応するＵＩＭを所有する加入者に関する情報を含む。Ｉ−ＥＳＮは、それが組み込まれた移動局を識別するとともに、それが組み込まれた移動局によってサポートされる機能を示すという点で、Ｒ−ＥＳＮとは区別される。すなわち、Ｒ−ＥＳＮは、移動局を識別せず、移動局によってサポートされる機能を直接に示すことはできない。Ｒ−ＥＳＮは、特定の移動局に関連づけられ（組み込まれて）いないからである。Ｒ−ＥＳＮは、単に、第３世代前のワイヤレス通信システムの認証要件を満たすための加入者情報として作用し、また、各移動局がある最小の機能セットをサポートすると仮定することにより、移動局によってサポートされる機能を間接的に示すことも可能である。Ｉ−ＥＳＮは、加入者情報として、および、装置あるいは機能の識別子として作用する。
【００１７】
移動局２０は、Ｉ−ＵＩＭおよび（Ｒ−ＵＩＭが利用可能な場合に）Ｒ−ＵＩＭ内のＥＳＮおよびその他の加入者情報を送信する送信機を有する。ＥＳＮおよび加入者情報が送信される方法は、サービスプロバイダのプロトコルや、メーカーおよびユーザの設定のようないくつかのファクタにより異なり得る。
【００１８】
図３は、複数の加入者をサポートする移動局２０の認証の方法を示す流れ図３００である。ステップ３０５で、加入者は、移動局２０を使用して、サービスを呼び出そうとする（例えば登録）。ここで、加入者は、組込み加入者でもリモート加入者でもよい。ステップ３１０で、移動局２０は、ＥＳＮおよびその他の加入者情報を送信する。ＭＳ２０は、サービスプロバイダのプロトコルや設定、移動局２０のメーカー、あるいは移動局２０のユーザに依存して、Ｉ−ＥＳＮおよび組込み加入者情報、もしくは、Ｒ−ＥＳＮおよびリモート加入者情報、またはこれらの両方を送信することになる。
【００１９】
一実施例では、Ｒ−ＵＩＭが移動局２０に挿入されていない場合、移動局２０は、移動局２０に組み込まれているＩ−ＥＳＮおよび組込み加入者情報を送信する。そうでない場合、Ｒ−ＵＩＭが移動局２０に挿入されているときにはデフォルトで、移動局２０は、Ｒ−ＥＳＮおよびリモート加入者情報を送信し、Ｉ−ＥＳＮおよび組込み加入者情報は送信しない。このデフォルトは無効にすることが可能である。すなわち、Ｒ−ＵＩＭが挿入されているときに、サービスを呼び出そうとする前にあるコードを入力する（またはスイッチを切り替える）ことによって、移動局は、Ｒ−ＥＳＮおよびリモート加入者情報の代わりにＩ−ＥＳＮおよび組込み加入者情報を送信することが可能である。
【００２０】
別の実施例では、移動局２０は、前にＩ−ＥＳＮおよび組込み加入者情報を用いたサービスの呼出しに成功した後にのみ、Ｒ−ＥＳＮおよびリモート加入者情報を送信する。さらに別の実施例では、Ｉ−ＥＳＮおよび組込み加入者情報は移動局２０によって常に送信され、あるいは、Ｉ−ＥＳＮおよび組込み加入者情報はユーザまたは加入者の指示に従って送信される。図６は、移動局２０がＲ−ＵＩＭを有するときまたは有しないときの可能なイベントに対する、移動局２０による可能なアクションのセットを示すチャート６００である。
【００２１】
加入者の認証は、一実施例では、互いに独立である。Ｉ−ＵＩＭに対応する加入者が正当な加入者でない場合であっても、Ｒ−ＵＩＭに対応する加入者が、適当なシステムによって認証される可能性もあり、またその逆の場合もある。
【００２２】
ステップ３１５および３２０で、サービス中のシステム（サービスシステム）は、移動局２０により送信されたＥＳＮおよびその他の加入者情報を受信し、その加入者情報（例えばＭＩＮやＩＭＳＩ）を用いて、サービスシステムが、受信したＥＳＮに対応する加入者のホームシステムであるかどうかを判断する。ここで、ホームシステムとは、加入者がワイヤレス通信サービスに加入しているワイヤレス通信システム、あるいは加入者がワイヤレス通信サービスについて前もって支払いをし、または、課金されるその他のタイプのエンティティである。サービスシステムが加入者のホームシステムである場合、ステップ３２５で、サービスシステムは、受信したＥＳＮおよび加入者情報と、レジストリで管理されているＥＳＮおよび加入者情報とを比較することによって、サービスが加入者に提供されるべきか、すなわち、加入者を認証すべきかどうかを判断する。加入者に提供すべきサービスの種類は、ＥＳＮおよび加入者の加入内容によって示される、移動局２０によりサポートされる機能に依存する。
【００２３】
ＥＳＮおよび加入者情報が、サービスシステムのレジストリ内のＥＳＮおよび加入者情報と一致した場合、ステップ３６０で、サービスシステムは、音声メッセージング（留守録音）、呼転送およびコールウェイティング機能のような、移動局２０によってサポートされる機能、ならびに、加入者が加入しているサービス（例えば、発呼、着呼、音声メッセージング、呼転送あるいはコールウェイティング）の制限内で、加入者にワイヤレス通信サービスを提供する。そうでない場合、ワイヤレス通信サービスはサービスシステムによって提供されない。
【００２４】
サービスシステムが加入者のホームシステムでない場合、ステップ３３０で、サービスシステムは、ホームシステムに対して、加入者を認証することを求める要求を送信する。ステップ３３５で、ホームシステムは、サービスシステムからＥＳＮおよび加入者情報を受信する。ステップ３４０で、ホームシステムは、受信したＥＳＮおよび加入者情報を、そのレジストリで管理されているＥＳＮおよび加入者情報と比較する。ＥＳＮおよび加入者情報が、ホームシステムのレジストリ内のＥＳＮおよび加入者情報と一致した場合、ステップ３５０で、ホームシステムは、加入者が認証されたことを示すメッセージをサービスシステムに送信する。さらに、このメッセージは、移動局２０によってサポートされる機能および加入者が加入しているサービスに関する情報を含むことが可能である。サービスシステムは、このメッセージを受信すると、ステップ３２５および３６０で、移動局２０によってサポートされる機能および加入者が加入しているサービスの制限内で加入者にワイヤレス通信サービスを提供する。
【００２５】
ＥＳＮおよび加入者情報がホームシステムのレジストリ内のＥＳＮおよび加入者情報と一致しない場合、ステップ３５０で、ホームシステムは、加入者が認証されないことを示すメッセージをサービスシステムに送信する。サービスシステムは、このメッセージを受信すると、ステップ３２５および３５５で、移動局２０へのワイヤレス通信サービスを拒否する。
【００２６】
図４は、移動局２０を使用する組込み加入者およびリモート加入者によってサービスが呼び出される代表的なシナリオを示す流れ図４００である。このシナリオでは、サービスシステムは、組込み加入者のホームシステムでも、リモート加入者のホームシステムでもない。図５に、サービスシステムとホームシステムの間の関係を示す。図４のシナリオにおいて、ステップ４０５で、移動局２０が起動され、移動局２０に組み込まれたＩ−ＥＳＮおよび組込み加入者情報がサービスシステム４０に送信される。ステップ４１５で、サービスシステム４０は、Ｉ−ＥＳＮおよび組込み加入者情報を受信し、受信したＩ−ＥＳＮおよび組込み加入者情報から、この組込み加入者がサービスシステム４０の加入者でない（すなわち、サービスシステム４０は、組込み加入者のホームシステムではない）と判断する。ステップ４２０で、サービスシステム４０は、受信したＩ−ＥＳＮおよび組込み加入者情報を含む、組込み加入者の認証を求める要求を、組込み加入者のホームシステム（すなわち、組込み加入者ホームシステム４２）へ送信する。
【００２７】
ステップ４２５で、組込み加入者ホームシステム４２は、Ｉ−ＥＳＮおよび組込み加入者情報を受信し、レジストリを検査して、受信したＩ−ＥＳＮおよび組込み加入者情報に対応する加入者が正当な加入者であるかどうかを判断する。ステップ４３０で、組込み加入者ホームシステム４２は、組込み加入者が正当な加入者であるかどうかを示すメッセージをサービスシステム４０に送信する。この加入者が正当な加入者である場合、このメッセージは、移動局２０によってサポートされる機能および組込み加入者が加入しているサービスも示すことが可能である。ステップ４３５で、サービスシステム４０はこのメッセージを受信し、メッセージに依存して、組込み加入者に対するワイヤレス通信サービスを提供または拒否する。
【００２８】
ステップ４３８で、Ｒ−ＵＩＭが、リモート加入者によって移動局２０に挿入される。ステップ４４０で、リモート加入者は、自己のＲ−ＥＳＮおよびリモート加入者情報をサービスシステム４０に送信することによってサービスを呼び出そうとする。ステップ４４２で、サービスシステム４０は、Ｒ−ＥＳＮおよびリモート加入者情報を受信し、受信したＲ−ＥＳＮあるいはリモート加入者情報から、このリモート加入者がサービスシステム４０の加入者でないと判断する。ステップ４４５で、サービスシステム４０は、受信したＲ−ＥＳＮおよびリモート加入者情報を含む、リモート加入者の認証を求める要求を、リモート加入者のホームシステム（すなわち、リモート加入者ホームシステム４４）へ送信する。
【００２９】
ステップ４５０で、リモート加入者ホームシステム４４は、Ｒ−ＥＳＮおよびリモート加入者情報を受信し、レジストリを検査して、受信したＲ−ＥＳＮおよびリモート加入者情報に対応する加入者が正当な加入者であるかどうかを判断する。ステップ４５５で、リモート加入者ホームシステム４４は、リモート加入者が正当な加入者であるかどうかを示すメッセージをサービスシステム４０に送信する。この加入者が正当な加入者である場合、このメッセージは、リモート加入者が加入しているサービス（例えば、最小サービスセット、所定サービスセット、または、移動局２０によってサポートされる機能により制限されるサービスセット）も示すことが可能である。ステップ４６０で、サービスシステム４０はこのメッセージを受信し、メッセージに依存して、リモート加入者に対するワイヤレス通信サービスを提供または拒否する。
【００３０】
組込み加入者がその後サービスシステム４０からのサービスを呼び出そうとする場合、移動局２０は、組込み加入者のＥＳＮおよび加入者情報を送信すべきである。Ｉ−ＥＳＮおよび組込み加入者情報を送信するために、組込み加入者は、サービスを呼び出す前に、例えば、まずあるコードを入力し、Ｒ−ＵＩＭを取り外す（またはスイッチを切り替える）ことが必要となる。
【００３１】
着信サービスの場合、サービス局（サービスシステム）は、移動局に、そのサービスの宛先の加入者の識別を提供する。この識別を受信すると、移動局は、サービスの宛先である受け手を、移動局のディスプレイまたは固有のトーンにより指示することが可能である。セキュリティのために、宛先の受け手は、サービスを受ける前に、セキュリティコードや音声チェックを行うことを必要とすることも可能である。
【００３２】
以上、本発明のいくつかの実施例について説明した。他の実施例も可能である。例えば、移動局は、Ｒ−ＥＳＮあるいはリモート加入者情報を送信するときに、Ｉ−ＥＳＮあるいは組込み加入者情報を送信することも可能であり、これにより、ワイヤレス通信システムは、どの移動局がリモート加入者によって使用されているかを知ることが可能である。
【００３３】
【発明の効果】
以上述べたごとく、本発明によれば、第２世代ワイヤレス通信システムがリモート加入者情報を用いて認証することが可能な、組込みＥＳＮを有する第３世代移動局が実現される。
【図面の簡単な説明】
【図１】従来技術による第２世代ワイヤレス通信システムの図である。
【図２】本発明による移動局の図である。
【図３】複数の加入者をサポートする図２の移動局の認証方法を示す流れ図である。
【図４】図２の移動局を使用する組込み加入者およびリモート加入者によってサービスが呼び出される際の代表的なシナリオを示す流れ図である。
【図５】移動局のサービスシステムとホームシステムの間の関係を例示する図である。
【図６】移動局がＲ−ＵＩＭを有するときまたは有しないときの可能なイベントに対する、移動局による可能なアクションのセットを示す図である。
【符号の説明】
１０  ワイヤレス通信システム
１２  基地局
１４  移動局
２０  移動局
２４  ユーザ識別モジュール（ＵＩＭ）
２５  レセプタクル
２６  取り外し可能ユーザ識別モジュール（Ｒ−ＵＩＭ）
４０  サービスシステム
４２  組込み加入者ホームシステム
４４  リモート加入者ホームシステム
【図１】
0003881499.tif 000002
【図２】
0003881499.tif 000003
【図３】
0003881499.tif 000004
【図４】
0003881499.tif 000005
【図５】
0003881499.tif 000006
【図６】
0003881499.tif 000007